【手続補正書】
【提出日】平成24年10月16日(2012.10.16)
【手続補正１】
【補正対象書類名】特許請求の範囲
【補正対象項目名】全文
【補正方法】変更
【補正の内容】
【特許請求の範囲】
【請求項１】
エレクトロルミネセントディスプレイのトランジスタ及びエレクトロルミネセントデバイスの特性の変化を補償する方法であって、
行及び列に配列されて複数のピクセルを形成するサブピクセルの２次元アレイを備えるエレクトロルミネセントディスプレイを設けることであって、各前記ピクセルは異なる色の少なくとも３つのサブピクセルを含み、前記ピクセルにおける各該サブピクセルは、前記エレクトロルミネセントデバイス及び駆動トランジスタを含み、各該エレクトロルミネセントデバイスは、駆動信号に応答して前記対応する駆動トランジスタにより駆動されることと、
直列に接続された第１の読み出しトランジスタ及び第２の読み出しトランジスタを備える特定色の前記サブピクセルの１つの読み出し回路を各前記ピクセルに設けることと、
前記読み出し回路を使用することであって、前記特定色のサブピクセルの前記トランジスタの少なくとも１つ又は前記特定色のサブピクセルの前記エレクトロルミネセントデバイス又はそれらの双方の前記特性に基づいて前記特定色のサブピクセルの補正信号を導出することと、
前記補正信号を使用することであって、前記特定色のサブピクセルの前記駆動トランジスタ及び１つ又は複数の異なるピクセルにおける前記特定色のサブピクセルの前記駆動トランジスタに印加される前記駆動信号を調整することと、
各前記ピクセルにおける前記特定色の各サブピクセルについて、前記駆動信号を前記駆動トランジスタに提供して前記エレクトロルミネセントデバイスに有色光を放出させるためのそれぞれの第１のデータラインを設けることと、
各前記ピクセルにおける前記特定色の各サブピクセルについて、前記読み出し信号を受け取るためのそれぞれの第２のデータラインを設けることと、
第１の電圧源、及び該第１の電圧源を各前記駆動トランジスタのそれぞれの第１の電極に選択的に接続するための第１のスイッチを設けることと、
第２の電圧源、及び各前記エレクトロルミネセントデバイスを該第２の電圧源に選択的に接続するための第２のスイッチを設けることと、
電流源、及び該電流源を前記第２のデータラインに選択的に接続するための第３のスイッチを設けることと、
を含む、方法。
【請求項２】
各前記読み出し回路は、それぞれの読み出し信号を提供し、前記方法は、
前記駆動信号を前記駆動トランジスタに提供して前記エレクトロルミネセントデバイスに有色光を放出させ、かつ読み出し信号を受け取ってこのような読み出し信号を補償回路に印加するための１つ又は複数のデータラインを設けること、
をさらに備える、請求項１に記載の方法。
【請求項３】
前記サブピクセルの各行について、対応する選択ラインを設けること、
をさらに備える、請求項１に記載の方法。
【請求項４】
前記読み出し回路をアクティブ化することであって、２つの選択ラインを同時にアクティブ化することにより前記補正信号を導出すること、
をさらに備える、請求項３に記載の方法。
【請求項５】
エレクトロルミネセントディスプレイのトランジスタ及びエレクトロルミネセントデバイスの特性の変化を補償する方法であって、
行及び列に配列されて複数のピクセルを形成するサブピクセルの２次元アレイを備えるエレクトロルミネセントディスプレイを設けることであって、各前記ピクセルは異なる色の少なくとも３つのサブピクセルを含み、前記ピクセルにおける各該サブピクセルは、前記エレクトロルミネセントデバイス及び駆動トランジスタを含み、各該エレクトロルミネセントデバイスは、駆動信号に応答して前記対応する駆動トランジスタにより駆動されて画像を提供することと、
直列に接続された第１の読み出しトランジスタ及び第２の読み出しトランジスタを有する特定色の前記サブピクセルの１つの読み出し回路を各前記ピクセルに設けることと、
前記読み出し回路を使用することであって、前記特定色のサブピクセルの前記トランジスタの少なくとも１つ又は前記特定色のサブピクセルの前記エレクトロルミネセントデバイス又はそれらの双方の前記特性に基づいて前記特定色のサブピクセルの補正信号を導出し、各前記読み出し回路はそれぞれの読み出し信号を提供することと、
前記補正信号を使用することであって、前記特定色のサブピクセルの前記駆動トランジスタ及び１つ又は複数の異なるピクセルにおける前記特定色のサブピクセルの前記駆動トランジスタに印加される前記駆動信号を調整することと、
時間と共に前記画像の前記ロケーションを変更することと、
各前記ピクセルにおける前記特定色の各サブピクセルについて、前記駆動信号を前記駆動トランジスタに提供して前記エレクトロルミネセントデバイスに有色光を放出させるためのそれぞれの第１のデータラインを設けることと、
各前記ピクセルにおける前記特定色の各サブピクセルについて、前記読み出し信号を受け取るためのそれぞれの第２のデータラインを設けることと、
第１の電圧源、及び該第１の電圧源を各前記駆動トランジスタのそれぞれの第１の電極に選択的に接続するための第１のスイッチを設けることと、
第２の電圧源、及び各前記エレクトロルミネセントデバイスを該第２の電圧源に選択的に接続するための第２のスイッチを設けることと、
（ｊ）電流源、及び該電流源を前記第２のデータラインに選択的に接続するための第３のスイッチを設けることと、
電流シンク、及び該電流シンクを前記第２のデータラインに選択的に接続するための第４のスイッチを設けることと、
それぞれの試験電位を各前記第１のデータラインに印加するための試験電圧源を設けることと、
各前記第２のデータラインに接続された電圧測定回路を設けることと、
前記第１のスイッチ及び前記第４のスイッチを閉じ、前記第２のスイッチ及び前記第３のスイッチを開き、前記試験電圧源を使用して前記それぞれの第１のデータラインを通じて各前記駆動トランジスタに試験電位を印加し、前記読み出し回路をアクティブ化し、前記電流シンクを使用して試験電流を引き出し、前記電圧測定回路を使用して前記それぞれの読み出し信号を測定することにより、各前記ピクセルにおける前記特定色の各サブピクセルの前記駆動トランジスタを試験することであって、前記駆動トランジスタの特性に基づいて前記それぞれの補正信号を提供することと、
前記第１のスイッチ及び前記第４のスイッチを開き、前記第２のスイッチ及び前記第３のスイッチを閉じ、前記読み出し回路をアクティブ化し、前記電流源を使用して前記試験電流を駆動し、前記電圧測定回路を使用して前記それぞれの読み出し信号を測定することにより、各前記ピクセルにおける前記特定色の各サブピクセルの前記エレクトロルミネセントデバイスを試験することであって、前記エレクトロルミネセントデバイスの特性に基づいて前記それぞれの補正信号を提供することと、
を含む、方法。
【請求項６】
前記サブピクセルの各行について、対応する選択ラインを設けること、
をさらに備える、請求項５に記載の方法。
【請求項７】
前記読み出し回路をアクティブ化することであって、２つの選択ラインを同時にアクティブ化することにより前記補正信号を導出する、前記読み出し回路をアクティブ化すること、
をさらに備える、請求項６に記載の方法。
【請求項８】
各前記読み出し回路は、それぞれの読み出し信号を提供し、前記方法は、
前記駆動信号を前記駆動トランジスタに提供して前記エレクトロルミネセントデバイスに有色光を放出させ、かつ読み出し信号を受け取ってこのような読み出し信号を補償回路に印加するための１つ又は複数のデータラインを設けること、
をさらに備える、請求項５に記載の方法。
【請求項９】
異なる色の少なくとも３つのサブピクセルであって、各該サブピクセルは、中間節点において駆動トランジスタに電気的に接続されたエレクトロルミネセントデバイスを備え、各該エレクトロルミネセントデバイスは、駆動信号に応答して、前記対応する駆動トランジスタにより駆動される、少なくとも３つのサブピクセルと、
直列に接続された第１の読み出しトランジスタ及び第２の読み出しトランジスタを備える特定色の前記サブピクセルの１つの読み出し回路であって、前記第１の読み出しトランジスタは、前記特定色のサブピクセルの前記中間節点に接続され、該読み出し回路は少なくとも１つの読み出し信号を提供する回路と、
前記特定色のサブピクセルの前記駆動トランジスタに駆動信号を提供するための第１のデータライン、及び前記読み出し信号を受け取り、このような読み出し信号を補償回路に印加するための第２のデータラインと、
第１の電圧源、及び該第１の電圧源を前記特定色の前記サブピクセルの前記駆動トランジスタの第１の電極に選択的に接続するための第１のスイッチと、
第２の電圧源、及び前記特定色の前記サブピクセルの前記エレクトロルミネセントデバイスを該第２の電圧源に選択的に接続するための第２のスイッチと、
電流源、及び該電流源を前記第２のデータラインに選択的に接続するための第３のスイッチと、
電流シンク、及び該電流シンクを前記第２のデータラインに選択的に接続するための第４のスイッチと、
を備える、エレクトロルミネセントピクセル。
【請求項１０】
試験電位を前記第１のデータラインに印加するための試験電圧源と、
前記第２のデータラインに接続された電圧測定回路と、
前記第１の読み出しトランジスタ及び前記第２の読み出しトランジスタをアクティブ化し、前記第１のスイッチを閉じ、前記第２のスイッチを開き、前記第４のスイッチを閉じ、前記第３のスイッチを開き、前記第１のデータラインに所定の試験電位を印加し、所定の試験電流を引き出すように前記電流シンクを設定することにより、前記特定色のサブピクセルを駆動して第１の読み出し信号を提供すると共に、前記第１の読み出しトランジスタ及び前記第２の読み出しトランジスタをアクティブ化し、前記第１のスイッチを開き、前記第２のスイッチを閉じ、前記第４のスイッチを開き、前記第３のスイッチを閉じ、所定の試験電流を駆動するように前記電流源を設定することにより、前記特定色のサブピクセルを駆動して第２の読み出し信号を提供するためのコントローラと、
をさらに備える、請求項９に記載のエレクトロルミネセントピクセル。
【請求項１１】
前記少なくとも３つのサブピクセルは、少なくとも２つの行に配列され、前記エレクトロルミネセントピクセルは、前記サブピクセルの各行について対応する選択ラインをさらに備える、請求項９に記載のエレクトロルミネセントピクセル。
【請求項１２】
前記第１の読み出しトランジスタの前記ゲートは第１の選択ラインに接続され、前記第２の読み出しトランジスタの前記ゲートは第２の選択ラインに接続される、請求項１１に記載のエレクトロルミネセントピクセル。